(57)【特許請求の範囲】
【請求項１】
充電可能な蓄電池を備えた電子時計において、
時計モジュールに対して取り外し可能に構成されたプラスチック製時計構成部品と前記蓄電池を該時計構成部品と挟み込む為の押え部材とを有し、
前記時計構成部品には前記蓄電池を収納する収納部と該収納部の近傍にカシメ固定部を形成し、
前記収納部に収納した前記蓄電池を前記押え部材によって覆い、
前記時計構成部品の近傍にて前記押え部材をカシメて、前記蓄電池を保持固定した
ことを特徴とする電子時計の蓄電池の保持構造。
【請求項２】
前記プラスチック製時計構成部品は、回路基板を保持する回路支持台であることを特徴とする請求項１に記載の電子時計の蓄電池の保持構造。
【請求項３】
カシメ構造は、前記時計構成部品に設けた突起を押し潰すことによって形成されることを特徴とする請求項１又は請求項２に記載の電子時計の蓄電池の保持構造。
【請求項４】
前記電子時計は、更にマイナス極と導通を取るためのリード板を有し、該リード板、前記蓄電池、前記押え部材の順に積層されていて、該押え部材をカシメ固定することを特徴とする請求項１乃至請求項３のいずれかに記載の電子時計の蓄電池の保持構造。
【発明の詳細な説明】
【０００１】
【発明の属する技術分野】
本発明は太陽電池付の時計における蓄電池の保持構造に関する。
【０００２】
【従来の技術】
太陽電池付時計等に使用される充電機能を果たすための蓄電池である二次電池は、通常の一次電池と異なり充電されることによって繰り返し電池としての機能を果たすものである。従って、回路基板には太陽電池セルと接続されて充電を行うためのパターンが形成されている。このためもし間違えて、二次電池の代わりに通常の一次電池を入れてしまったとすると、この充電用のパターンと電池が接続されて電池に充電されてしまうため、過充電現象が起こり、一次電池が爆発してしまうことも起こりかねない。
【０００３】
ところで、太陽電池付時計の二次電池そのものの保持は一般の電池と同様に電池側圧バネと輪列受に挟み込むと同時に、二次電池の上面を部分的に回路支持板等の押エ板で保持しており、該回路支持板はネジもしくはムーブメント外周部に設けられたフックにより固定される構造をとるのが一般的である。しかし一般の電池との組み違えを防止するため、回路との導通が得られない様に二次電池にリード板が溶接されていて、このリード板と充電用のパターンを接続することによって、直接電池の極板とパターンが接続しないような構造を採ったり、ムーブメント全体を覆う回路支持板により、ムーブメント主要部材に形成された突起が回路支持板を貫通し、貫通した突起を潰すことにより分解不可能構造を採るムーブメントもある。
【０００４】
以下に、図面を用いて従来例を説明する。図４は従来例の時計モジュールの簡略平面図を示しており、図５、６は二次電池収納部の簡略断面図を示し、また図７は回路支持板の保持構造周辺を示す部分断面図である。
従来の二次電池２の保持構造は図５に示すように、二次電池リード板１１の一端側にある接続部１１ａが、二次電池のマイナス極２ａに溶接１１ｂにて固着されており、図示していない他端が、回路基板１３と接続されている。一方二次電池２のプラス極２ｂは図５に示すように、二次電池２の上面側を回路支持板１２に設けられているバネ部１２ａあるいは、図６に示すようにバネの替わりにヒサシ１２ｂを設けたり、ここには図示しない輪列受のヒサシにより保持することにより飛び出し防止構造を取っている。回路支持板１２は図４に示すネジ１５と、図４、７に示すようなムーブメント１４の外周部に設けたフック１２ｄによりムーブメントと締結されることを示している。
【０００５】
また、図８は他の従来例の平面図を示しており、図９はその二次電池収納部の簡略断面図を示している。
図９に示すように、二次電池２のマイナス極側の導通は一般的な時計と同じ様に電池受バネ２１で取り、プラス極２ｂ側はここには図示していない側圧バネおよびムーブメント２２全体を覆うムーブメント支持板２３に設けられた接続バネ部２３ａにより導通を取っており、また図８に示すように二次電池２の替わりに一般の電池が組み込まれない様に前記図７と同様の構造のフック２３ｂとネジ２５により仮固定した後に、ムーブメント支持板２３を貫通している突起２４を潰すことによりムーブメント２２自体を分解不可能にしている。
【０００６】
【発明が解決しようとする課題】
しかしながら、図４、５に示すような構造では、二次電池２に二次電池リード板１１を溶接するため、その手間とコストが掛かり過ぎると共に、組み込み方向が規制されたり、部品の組み込みが複雑になったりするというように作業性が非常に悪いという欠点を有していたり、図８、９に示すような分解不可能構造にするとムーブメントのメンテナンスが市場で出来なかったり、組み立て後にムーブメントの輪列部、回路部に不良が発生した場合にムーブメントを突起２４のカシメを破壊し分解し、不良部分を修正後に部品交換して出荷しなければならず部品がむだになるという欠点があった。
【０００７】
しかし、このような欠点があるからと言って、安易に二次電池リード板１１の溶接を削除してしまったり、ムーブメント板２３を止める潰しを廃止してしまうと一般の電池を組み込んでしまう危険があった。なぜならば、図４、７、８、９に示すように、あたかも二次電池２を容易に交換できるようなイメージを与え、しかも、回路支持板、若しくはムーブメント支持板の固定方法がネジと外周部に設けられたフック部によりムーブメントと締結されているため簡単に回路支持板を外すことが可能なためである。
そこで本発明は、上記の問題点を解決し安価で電池組込みに対し安全性の高い太陽電池付時計をユーザーに提供しようというものである。
【０００８】
【課題を解決するための手段】
上記の目的を達成するための本発明の要旨は、時計モジュールに対して取り外し可能に構成されたプラスチック製時計構成部品と蓄電池をこの時計構成部品と挟み込む為の押え部材とを有し、前記時計構成部品には前記の蓄電池を収納する収納部と該収納部の近傍にカシメ固定部を形成し、前記の収納部に収納した蓄電池を前記押え部材によって覆い、前記時計構成部品の近傍にて前記押え部材をカシメて、前記蓄電池を保持固定したことを特徴とするものであり、前記のカシメ構造は、前記時計構成部品に設けた突起を押し潰すことによって形成され、更に前記電子時計は、マイナス極と導通を取るためのリード板を有し、該リード板、前記蓄電池、前記押え部材の順に積層されていて、該押え部材をカシメ固定することを特徴としている。
【０００９】
【発明の実施の形態】
以下に、本発明の一実施の形態を図面を用いて説明する。
図１は蓄電池である二次電池をプラスチック製の支持部材にカシメることにより一つの部品にした、二次電池ブロックの平面図であり、図２は該二次電池ブロックの二次電池収納部を示す要部断面図であり、図３は本発明の全体構造を示す完成時計の平面図である。図１，２に示すように、図示しない回路基板を保持する時計の構成部品としてのプラスチック製の支持部材である回路支持台１には、二次電池２を保持する収納部１ａが設けられ、その一部には二次電池２のマイナス極２ａとここでは図示されない回路基板との導通を取るための二次電池リード板３が組み込まれ、さらに二次電池２を組み込みその二次電池２の上面に二次電池押え板４を組み込み、その後に回路支持台１に設けられ二次電池押え板４を貫通している突起１ｂを押し潰すことにより該二次電池押え板４を挟み込み、二次電池ブロック５を形成していることを示している。この回路支持台１は、図示しない周知の固定構造（ネジ等）を用いて時計モジュールに対し取り外し可能に構成されている。
【００１０】
また、図２に示す様に二次電池２と二次電池リード板３の接続は、一般的な電池を用いた場合と同様に、電池受バネに直接二次電池２のマイナス極２ａが圧接することにより導通が取られるように構成されている。二次電池リード板３の他端は、図示されていないが、従来例と同様に回路基板と導通が取られている。
また、この実施の形態では二次電池リード板３を二次電池ブロック５の内部に収納しているが、この構造に限るものではなく他に位置決めし固定できる部材が有ればそちらで行なっても良い。つまり二次電池ブロックの構成部品に二次電池リード板３がなくても良い。
【００１１】
尚、図３に示すように完成ムーブメント状態で突起１ｂを潰せるようにムーブメント構造が考慮されているため、このカシメ工程をムーブメント組立工程の最後に行なえば組立区内で発生した不良に関して何度でも分解組み立てを行なうことが出来るため経済的であり不良解析も十分にできる。
【００１２】
また上記の実施の形態では、回路基板を保持するプラスチック製の回路支持台１に二次電池２を収納したが、プスチック製であれば、地板中受け等のスペーサ部材、受け部材に二次電池を収納しても良い。要は時計モジュールに対し取り外し可能なプラスチック製の部材であれば良い。
【００１３】
本発明によれば、時計停止時において、一般ユーザーが好奇的に時計外装を開けた際に時計ムーブメントに通常の電池を投入しようとした際に二次電池が取り出し不可能であることを知らしめ、好奇心から二次電池を外す様なことがなくなる。
【００１４】
【発明の効果】
以上の説明で明らかなように、二次電池に何らかの不具合が発生した場合においても、コストの低いプラスチック製の時計構成部材である二次電池ブロックだけを交換することが可能であるため、時計モジュール自体を廃棄する必要もなくなり、また従来のようなコスト高につながる様な複雑な電池組み込み防止構造を採用することなく、安価で安全性の高い太陽電池発電時計をユーザーに提供することを可能とし、低価格ムーブメントでありながらメンテナンスを行うことが可能であるため、環境にもやさしい時計を提供できる。
【図面の簡単な説明】
【図１】本発明のを示す二次電池ブロックの平面図である。
【図２】本発明の二次電池収納部を示す要部断面図である。
【図３】本発明の完成時計を示す平面図である。
【図４】従来例の全体を示す平面図である。
【図５】従来例の二次電池収納構造を示す要部断面図である。
【図６】従来例の二次電池収納構造の他の構造を示す要部断面図である。
【図７】従来例の回路支持板の保持構造周辺を示す部分断面図である。
【図８】他の従来例の全体を示す平面図である。
【図９】他の従来例の二次電池収納構造を示す要部断面図である。
【符号の説明】
１  回路支持台
２  二次電池
３  二次電池リード板
４  二次電池押え板
５  二次電池ブロック
【図１】
0003667890.tif 000002
【図２】
0003667890.tif 000003
【図３】
0003667890.tif 000004
【図４】
0003667890.tif 000005
【図５】
0003667890.tif 000006
【図６】
0003667890.tif 000007
【図７】
0003667890.tif 000008
【図８】
0003667890.tif 000009
【図９】
0003667890.tif 000010